(57)【要約】【課題】肌に与える刺激がほとんどなく、毛穴の奥の汚れや毛穴の奥で繁殖した細菌に対しても十分な除去機能を発揮し得るフェイスパックを提供する。【解決手段】フェイスパック１は、可撓性及び含水性を有するシート材からなり、ウルトラファインバブルを含有した弱アルカリ性の安定型次亜塩素酸ナトリウム溶液を含浸した状態で顔面に載置されて使用される。【選択図】図１
2018130429.tif 000002
【特許請求の範囲】
【請求項１】
可撓性及び含水性を有するシート材からなり、所定の液体を含浸した状態で顔面に載置されて使用されるフェイスパックであって、
前記所定の液体が、ウルトラファインバブルを含有した弱アルカリ性の安定型次亜塩素酸ナトリウム溶液である、フェイスパック。
【請求項２】
前記ウルトラファインバブルを含有した弱アルカリ性の安定型次亜塩素酸ナトリウム溶液のｐＨ（水素イオン濃度指数）は８．５〜１１．５である、請求項１に記載のフェイスパック。
【請求項３】
不透水性の包装袋であって、その内部が分離部によって第１収納室と第２収納室とに液密に分離された前記包装袋と、
可撓性及び含水性を有するシート材からなり、小さく折り畳まれた状態で前記第１収納室に収納されたフェイスパックと、
前記第２収納室に収納された、ウルトラファインバブルを含有した弱アルカリ性の安定型次亜塩素酸ナトリウム溶液と、
を含み、
前記分離部は、前記包装袋の内面の対向する部位同士を接着すると共に前記第２収納室に外部から所定値を超える押圧力が作用すると前記包装袋の内面から剥離して前記第１収納室と前記第２収納室とを連通させるように形成された接着剤によって形成されている、
個包装フェイスパック製品。
【発明の詳細な説明】
【技術分野】
【０００１】
本発明は、人の顔面に載置されて使用されるフェイスパックに関する。
【背景技術】
【０００２】
この種のフェイスパックの一例として、特許文献１に記載されたシート状パック剤が知られている。特許文献１に記載されたシート状パック剤は、顔に直接貼り付けられた後に剥離されることによって老化した角質、すなわち、顔面の汚れを除去するように構成されている。
【先行技術文献】
【特許文献】
【０００３】
【特許文献１】特開２０００−３１９１２３号公報
【発明の概要】
【発明が解決しようとする課題】
【０００４】
しかし、前記シート状パック剤は、単に顔面に貼り付けられるものであり、例えば毛穴の奥の汚れや毛穴の奥で繁殖した細菌など（以下、「毛穴の奥の汚れ等」という）に対する除去機能を十分に有しているとは言えなかった。また、前記シート状パック剤は、顔面に直接貼り付けられた後に剥離されるため、特に剥離時に肌に刺激を与えてしまうことが避けられず、かかる刺激が新たな肌トラブルの原因となるおそれもあった。
【０００５】
そこで、本発明は、肌に与える刺激がほとんどなく、前記毛穴の奥の汚れ等に対しても十分な除去機能を発揮し得るフェイスパックを提供することを目的とする。
【課題を解決するための手段】
【０００６】
本発明の一側面によると、可撓性及び含水性を有するシート材からなり、所定の液体を含浸した状態で顔面に載置されて使用されるフェイスパックが提供される。前記フェイスパックにおいて、前記所定の液体は、ウルトラファインバブルを含有した弱アルカリ性の安定型次亜塩素酸ナトリウム溶液である。
【０００７】
本発明の他の側面によると、個包装フェイスパック製品が提供される。前記個包装フェイスパック製品は、不透水性の包装袋であって、その内部が分離部によって第１収納室と第２収納室とに液密に分離された前記包装袋と、可撓性及び含水性を有するシート材からなり、小さく折り畳まれた状態で前記第１収納室に収納されたフェイスパックと、前記第２収納室に収納された、ウルトラファインバブルを含有した弱アルカリ性の安定型次亜塩素酸ナトリウム溶液とを含む。そして、前記分離部は、前記包装袋の内面の対向する部位同士を接着すると共に前記第２収納室に外部から所定値を超える押圧力が作用すると前記包装袋の内面から剥離して前記第１収納室と前記第２収納室とを連通させるように形成された接着剤によって形成されている。
【発明の効果】
【０００８】
前記弱アルカリ性の安定型次亜塩素酸ナトリウム溶液は、優れた除菌機能を有し、ほぼ無臭であり、眼、皮膚及び経口摂取などに対する安全性も確認されている。また、前記弱アルカリ性の安定型次亜塩素酸ナトリウム溶液は、ウルトラファインバブルを含有することによって見かけ密度が低下し、その表面張力が小さくなっている。このため、前記フェイスパックによれば、除菌機能を有する前記弱アルカリ性の安定型次亜塩素酸ナトリウム溶液が毛穴の奥まで浸透し、前記毛穴の奥の汚れ等を効果的に除去することができる。また、前記フェイスパックは、単に顔面に載置されるだけであるので、顔面から取り除かれる際に肌に与える刺激もほとんどない。
【０００９】
前記個包装フェイスパック製品によれば、その使用直前にウルトラファインバブルを含有した弱アルカリ性の安定型次亜塩素酸ナトリウム溶液が含浸されたフェイスパックを得ることができる。また、前記個包装フェイスパック製品は、携帯が容易であり、様々な場所における前記フェイスパックの使用を可能とする。
【図面の簡単な説明】
【００１０】
【図１】本発明の一実施形態に係るフェイスパックを示す図である。
【図２】前記フェイスパックの製品形態の一例である個包装フェイスパック製品の概略構成を示す図であり、（Ａ）は平面図、（Ｂ）は断面図である。
【発明を実施するための形態】
【００１１】
以下、本発明の実施形態について説明する。
図１は、本発明の一実施形態に係るフェイスパックを示す図である。実施形態に係るフェイスパック１は、紙、織布又は不織布などの可撓性及び含水性を有するシート材からなり、人の顔面全体を被覆可能な形状及び大きさを有して形成されている。フェイスパック１は、目に対応する位置に形成された第１開口部２、２と、鼻に対応する位置に形成された第１スリット３と、口に対応する位置に形成された第２開口部４と、周縁部から内側に向かって延びるように形成された複数（ここでは４つ）の第２スリット５とを有する。そして、フェイスパック１は、所定の液体を十分に含浸した状態、好ましくは、滴り落ちる程度に含浸した状態で人の顔面に載置されて使用される。
【００１２】
本実施形態においては、前記所定の液体として、ウルトラファインバブルを含有した弱アルカリ性の安定型次亜塩素酸ナトリウム溶液が使用される。以下、フェイスパック１に含浸される、ウルトラファインバブルを含有した弱アルカリ性の安定型次亜塩素酸ナトリウム溶液について説明する。
【００１３】
「ウルトラファインバブル」とは、直径が１μｍ以下の微細気泡（いわゆるナノバブル）のことをいう。ウルトラファインバブルは、液体中で長期間にわたって残存し得るという特性を有する。
【００１４】
「弱アルカリ性の安定型次亜塩素酸ナトリウム溶液」とは、次亜塩素酸ナトリウムを含む弱アルカリ性の水溶液であって、ｐＨ（水素イオン指数）の経時変化がほとんどないものをいう。本実施形態において、弱アルカリ性の安定型次次亜塩素酸ナトリウム溶液のｐＨは、８．５〜１１．５、好ましくは８．５〜１０．５である。また、弱アルカリ性の安定型次次亜塩素酸ナトリウム溶液の有効塩素濃度は、２００ｐｐｍ以下、好ましくは１００ｐｐｍ以下、さらに好ましくは５０ｐｐｍ以下である。なお、弱アルカリ性の安定型次亜塩素酸ナトリウム溶液は、安定型アルカリ次亜水と称される場合もある。
【００１５】
前記弱アルカリ性の安定型次亜塩素酸ナトリウム溶液は、従来から食品の殺菌処理などに使用されている一般的な次亜塩素酸ナトリウム溶液（以下「従来の次亜塩素酸ナトリウム溶液」という）とは異なり、通常の保管条件の下でその有効塩素濃度が長期間（１年以上）にわたって維持される。また、前記弱アルカリ性の安定型次亜塩素酸ナトリウム溶液は、優れた除菌機能を有するものではあるが、前記従来の次亜塩素酸ナトリウム溶液のような塩素臭や刺激臭がほとんどない（すなわち、ほぼ無臭である）。さらに、前記弱アルカリ性の安定型次亜塩素酸ナトリウム溶液は、口や目や鼻に入ったり、皮膚に直接触れたりしても安全であることが確認されている。つまり、前記弱アルカリ性の安定型次亜塩素酸ナトリウム溶液は、人の顔面に付着等しても問題のない液体である。
【００１６】
「ウルトラファインバブルを含有した弱アルカリ性の安定型次亜塩素酸ナトリウム溶液」は、例えば、公知のウルトラファインバブル発生装置を用いてウルトラファインバブルを発生（含有）させた純水（ＲＯ−イオン交換水）と、有効塩素濃度の高い安定型次亜塩素酸ナトリウム溶液の原液（安定型アルカリ次亜水の原液）とを混合することによって作製され得る。すなわち、前記ウルトラファインバブルを含有した弱アルカリ性の安定型次亜塩素酸ナトリウム溶液は、ウルトラファインバブルを含有させた純水で安定型次亜塩素酸ナトリウム溶液の原液を希釈することによって作製され得る。但し、これに限られるものではなく、前記ウルトラファインバブルを含有した弱アルカリ性の安定型次亜塩素酸ナトリウム溶液は、まず安定型次亜塩素酸ナトリウム溶液の原液を純水で希釈して弱アルカリ性の安定型次亜塩素酸ナトリウム溶液を作製し、その後、作製された弱アルカリ性の安定型次亜塩素酸ナトリウム溶液中にウルトラファインバブルを直接含有させることによって作製されてもよい。なお、上記のようにして作製された、ウルトラファインバブルを含有した弱アルカリ性の安定型次亜塩素酸ナトリウム溶液は、作製後６ヶ月以上経過してもそのｐＨ値や有効塩素濃度に変化はなく、安定していることが確認されている。
【００１７】
ここで、前記弱アルカリ性の安定型次亜塩素酸ナトリウム溶液中に含有されるウルトラファインバブルは、平均粒子径が１μｍ以下であればよく、特に制限されるものではないが、最大頻出粒子径（モード径）が９０〜５００ｎｍ、好ましくは１４０〜２５０ｎｍの微細気泡群であり得る。また、前記弱アルカリ性の安定型次亜塩素酸ナトリウム溶液中のウルトラファインバブルの濃度は、特に制限されるものではないが、１．０×１０７個／ｍＬ以上、好ましくは１．０×１０８個／ｍＬ以上、さらに好ましくは１．０×１０９個／ｍＬ以上であり得る。さらに、ウルトラファインバブルを形成する気体、換言すれば、ウルトラファインバブルに封入される気体としては、空気、酸素、炭酸ガス及び窒素などがある。
【００１８】
前記弱アルカリ性の安定型次亜塩素酸ナトリウム溶液は、多数のウルトラファインバブルを含有することによって見かけ密度が大幅に低下する。すなわち、前記ウルトラファインバブルを含有した弱アルカリ性の安定型次亜塩素酸ナトリウム溶液は、その表面張力が低く（濡れ性が良く）なっており、微細な隙間や凹部などにも十分に浸入し得る。
【００１９】
次に、実施形態に係るフェイスパック１の作用を説明する。
上述のように、フェイスパック１は、前記ウルトラファインバブルを含有した弱アルカリ性の安定型次亜塩素酸ナトリウム溶液を十分に含浸した状態で人の顔面に載置されて使用される。具体的には、フェイスパック１は、第１開口部２、２が両目に位置し、第１スリット３に囲まれた部位が鼻に位置し、第２開口部４が口に位置するようにして、顔面に載置される。ここで、フェイスパック１は、可撓性を有すると共にその周縁部に形成された複数の切り込み５を有している。このため、前記ウルトラファインバブルを含有した弱アルカリ性の安定型次亜塩素酸ナトリウム溶液を十分に含浸した状態のフェイスパック１は、顔面に載置された際に、顔面に隙間なく密着され得る。
【００２０】
フェイスパック１が顔面に密着すると、フェイスパック１に十分に含浸されている前記ウルトラファインバブルを含有した弱アルカリ性の安定型次亜塩素酸ナトリウム溶液がフェイスパック１から前記顔面へと移動する。ここで、上述のように、前記ウルトラファインバブルを含有した弱アルカリ性の安定型次亜塩素酸ナトリウム溶液は、その表面張力が低いため、顔面において皺や凹みや毛穴の奥にまで浸透する。このため、フェイスパック１は、顔面の乾燥を防止しつつ、表面上の汚れはもちろん、皺や凹みや毛穴の奥の汚れについても浮き上がらせて除去することができ、これによって、顔面全体が、化粧水や美容液などが効果的に浸透し得る状態になる。また、前記弱アルカリ性の安定型次亜塩素酸ナトリウム溶液の除菌機能によって、毛穴の奥で繁殖した肌に有害な細菌（アクネ菌やマラセチア菌など）を減少させ又は死滅させることができ、これによって、肌荒れ、ニキビ及び／又は吹き出物の発生が防止される。
【００２１】
そして、フェイスパック１は、顔面に載置されてから所定時間（例えば数分程度の時間）が経過すると顔面から取り外される。ここで、フェイスパック１は、単に顔面に載置されるだけであり、従来技術のように顔面に直接貼り付けられていない。このため、フェイスパック１は、顔面から取り除かれる際に肌にほとんど刺激を与えない。なお、フェイスパック１が取り外された後の顔面には、通常、前記化粧水や前記美容液が塗布される。
【００２２】
このように、フェイスパック１は、肌に与える刺激がほとんどなく、表面はもちろん、前記毛穴の奥の汚れ等に対しても十分な除去機能を発揮し得るものであり、その結果、いわゆる肌トラブルの防止や改善に寄与することができる。
【００２３】
ところで、上述のように、フェイスパック１は、前記ウルトラファインバブルを含有した弱アルカリ性の安定型次亜塩素酸ナトリウム溶液を十分に含浸した状態で人の顔面に載置されて使用される。ここで、特に前記弱アルカリ性の安定型次亜塩素酸ナトリウム溶液の除菌機能を効果的に利用するためには、フェイスパック１の使用直前にフェイスパック１に前記ウルトラファインバブルを含有した弱アルカリ性の安定型次亜塩素酸ナトリウム溶液を含浸させるのが好ましい。この場合のフェイスパック１の製品形態としては、例えば以下に説明するような個包装フェイスパック製品が好適に採用され得る。
【００２４】
図２は、フェイスパック１の製品形態の一例である個包装フェイスパック製品の概略構成を示す図である。図２（Ａ）は、個包装フェイスパック製品の平面図であり、図２（Ｂ）は、個包装フェイスパック製品の断面図である。
【００２５】
図２（Ａ）、（Ｂ）に示されるように、個包装フェイスパック製品１０は、小さく折り畳まれた状態のフェイスパック１と、ウルトラファインバブルを含有した弱アルカリ性の安定型次亜塩素酸ナトリウム溶液１１とが不透水性の包装袋１２に収納されて構成されている。
【００２６】
包装袋１２は、例えば不透水性フィルムで形成され、包装袋１２の袋口（開口）は、ヒートシールなどによって封止されている（封止部１２１）。また、封止部１２１には、開封用の切り込み１２２が形成されている。
【００２７】
包装袋１２の内部は、分離部１２３によって、封止部１２１側（袋口側）の第１収納室１２４と袋底側の第２収納室１２５とに液密に分離されている。本実施形態において、分離部１２３は、包装袋１２の内面の対向する部位同士を接着すると共に所定の剥離力が作用することによって包装袋１２の内面から剥離される接着剤（例えば熱可塑性接着剤）によって形成されている。
【００２８】
そして、小さく折り畳まれた状態のフェイスパック１が包装袋１２の第１収納室１２４に収納され、所定量のウルトラファインバブルを含有した弱アルカリ性の安定型次亜塩素酸ナトリウム溶液１１が包装袋１２の第２収納室１２５が収納されている。なお、前記所定量は、フェイスパック１によるウルトラファインバブルを含有した弱アルカリ性の安定型次亜塩素酸ナトリウム溶液１１の含浸可能量に相当する量である。
【００２９】
個包装フェイスパック製品１０は、例えば次のようにして製造され得る。
まず、包装袋１２の前記袋口を上向きとし、当該袋口から前記所定量のウルトラファインバブルを含有した弱アルカリ性の安定型次亜塩素酸ナトリウム溶液１１を包装袋１２内に注入する。
【００３０】
次に、包装袋１２の内面の所定位置に溶融状態の熱可塑性接着剤を塗布し、当該熱可塑性接着剤によって包装袋１２の内面の対向する部位同士を接着する。前記所定位置は、ウルトラファインバブルを含有した弱アルカリ性の安定型次亜塩素酸ナトリウム溶液１１の液面よりも上側（前記袋口側）の位置である。これにより、分離部１２３及び第２収納室１２５が形成されると共に、前記所定量のウルトラファインバブルを含有した弱アルカリ性の安定型次亜塩素酸ナトリウム溶液１１が第２収納室１２５に液密に収納された状態となる。なお、前記熱可塑性接着剤は、包装袋１２の内面の前記所定位置にあらかじめ塗布されていてもよい。この場合、前記所定量のウルトラファインバブルを含有した弱アルカリ性の安定型次亜塩素酸ナトリウム溶液１１が注入された後、前記熱可塑性接着剤を加熱することによって包装袋１２の内面の対向する部位同士を接着することができる。
【００３１】
次に、包装袋１２の前記袋口から小さく折り畳まれた状態のフェイスパック１を包装袋１２内に挿入し、ヒートシールによって前記袋口を封止する。すなわち、前記袋口を封止する封止部１２１を形成する。これにより、第１収納室１２４が形成されると共に、小さく折り畳まれた状態のフェイスパック１が第１収納室１２４に液密に収納された状態となる。
【００３２】
そして、最後に封止部１２１に開封用の切り込み１２２を形成することによって個包装フェイスパック製品１０が完成する。
【００３３】
個包装フェイスパック製品１０においてフェイスパック１を使用する場合、使用者は、まず包装袋１２の第２収納室１２５を外部から指などによって強く押圧する。すると、第２収納室１２５内の圧力が上昇し、分離部１２３を構成する前記接着剤に剥離力が作用して前記接着剤が包装袋１２の内面から剥離する。換言すれば、分離部１２３を構成する前記接着剤は、第２収納室１２５に外部から所定値を超える押圧力が作用することによって包装袋１２の内面から剥離するように形成されている。これにより、第１収納室１２４と第２収納室１２５とが連通し、第２収納室１２５に収納されているウルトラファインバブルを含有した弱アルカリ性の安定型次亜塩素酸ナトリウム溶液１１が第１収納室１２４に流入する。
【００３４】
第１収納室１２４に流入したウルトラファインバブルを含有した弱アルカリ性の安定型次亜塩素酸ナトリウム溶液１１は、小さく折り畳まれた状態のフェイスパック１に含浸される。そして、フェイスパック１がウルトラファインバブルを含有した弱アルカリ性の安定型次亜塩素酸ナトリウム溶液１１を十分に含浸した状態になると、使用者は、切り込み１２２を利用して包装袋１２（第１収納室１２４）を開封し、包装袋１２からフェイスパック１を取り出す。その後、使用者は、ウルトラファインバブルを含有した弱アルカリ性の安定型次亜塩素酸ナトリウム溶液１１を十分に含浸した状態のフェイスパック１を展開して自身の顔面に載置する。
【００３５】
なお、上述の実施形態において、フェイスパック１は、顔面全体を被覆可能に形成されている。しかし、これに限られるものではなく、フェイスパック１は、顔面の一部の領域を被覆するように形成されてもよい。また、フェイスパック１と、ウルトラファインバブルを含有した弱アルカリ性の安定型次亜塩素酸ナトリウム溶液１１とが別々に用意され、使用者が使用直前に所定量のウルトラファインバブルを含有した弱アルカリ性の安定型次亜塩素酸ナトリウム溶液１１をフェイスパック１に含浸させるようにしてもよい。
【符号の説明】
【００３６】
１…フェイスパック、１０…個包装フェイスパック製品、１１…ウルトラファインバブルを含有した弱アルカリ性の安定型次亜塩素酸ナトリウム溶液、１２…包装袋、１２３…分離部、１２４…第１収納室、１２５…第２収納室
【図１】
2018130429.tif 000003
【図２】
2018130429.tif 000004